【手続補正書】
【提出日】平成19年5月7日(2007.5.7)
【手続補正１】
【補正対象書類名】特許請求の範囲
【補正対象項目名】請求項４
【補正方法】変更
【補正の内容】
【請求項４】
ＩＰ電話装置のＰＳＴＮ電話番号情報とＩＰ電話番号情報を対応付けて登録したＮＡＰＴＲリソースレコードを記憶するデータベースを保持するＥＮＵＭサーバとＩＰネットワークを介して接続されるとともに、公衆回線網に接続されたＩＰ電話装置であって、
着信側のＩＰ電話装置のＩＰ電話番号を設定した問い合わせを前記ＥＮＵＭサーバに送信する送信手段と、
前記問い合わせに応じて前記ＥＮＵＭサーバから返送される前記ＮＡＰＴＲリソースレコードを受信する受信手段と、
前記受信手段により受信された前記ＥＮＵＭリソースレコードからＰＳＴＮ電話番号情報を取り出して前記公衆回線網を介して前記着信側のＩＰ電話装置に発呼させる制御手段と、
を具備することを特徴とするＩＰ電話装置。
【手続補正２】
【補正対象書類名】特許請求の範囲
【補正対象項目名】請求項７
【補正方法】変更
【補正の内容】
【請求項７】
ＩＰネットワークに接続されたＩＰ電話装置と、ＩＰ電話装置のＰＳＴＮ電話番号情報とＩＰ電話番号情報を対応付けて登録したＮＡＰＴＲリソースレコードを記憶するデータベースを保持し、前記ＩＰ電話装置からの問い合わせに応じて前記ＮＡＰＴＲリソースレコードを返送するＥＮＵＭサーバと、を具備するＩＰ電話システムであって、
前記ＩＰ電話装置は、
着信側のＩＰ電話装置のＩＰ電話番号を設定した問い合わせを前記ＥＮＵＭサーバに送信する送信手段と、
前記問い合わせに応じて前記ＥＮＵＭサーバから返送される前記ＮＡＰＴＲリソースレコードを受信する受信手段と、
前記受信手段により受信された前記ＥＮＵＭリソースレコードからＰＳＴＮ電話番号情報を取り出して前記送信手段により前記公衆回線網を介して前記着信側のＩＰ電話装置に発呼させる制御手段と、
を具備することを特徴とするＩＰ電話システム。
【手続補正３】
【補正対象書類名】明細書
【補正対象項目名】００１５
【補正方法】変更
【補正の内容】
【００１５】
本発明の第４の態様に係るＩＰ電話装置は、ＩＰ電話装置のＰＳＴＮ電話番号情報とＩＰ電話番号情報を対応付けて登録したＮＡＰＴＲリソースレコードを記憶するデータベースを保持するＥＮＵＭサーバとＩＰネットワークを介して接続されるとともに、公衆回線網に接続されたＩＰ電話装置であって、着信側のＩＰ電話装置のＩＰ電話番号を設定した問い合わせを前記ＥＮＵＭサーバに送信する送信手段と、前記問い合わせに応じて前記ＥＮＵＭサーバから返送される前記ＮＡＰＴＲリソースレコードを受信する受信手段と、前記受信手段により受信された前記ＮＡＰＴＲリソースレコードからＰＳＴＮ電話番号情報を取り出して前記公衆回線網を介して前記着信側のＩＰ電話装置に発呼させる制御手段と、を具備する構成を採る。
【手続補正４】
【補正対象書類名】明細書
【補正対象項目名】００１６
【補正方法】変更
【補正の内容】
【００１６】
この構成によれば、着信側のＩＰ電話装置のＰＳＴＮ電話番号を取得して公衆回線網を介した発呼に自動的に切り替えることができ、ＩＰ電話装置のユーザは、発呼操作を繰り返す手間を軽減することができる。
【手続補正５】
【補正対象書類名】明細書
【補正対象項目名】００２１
【補正方法】変更
【補正の内容】
【００２１】
本発明の第７の態様に係るＩＰ電話システムは、ＩＰネットワークに接続されたＩＰ電話装置と、ＩＰ電話装置のＰＳＴＮ電話番号情報とＩＰ電話番号情報を対応付けて登録したＮＡＰＴＲリソースレコードを記憶するデータベースを保持し、前記ＩＰ電話装置からの問い合わせに応じて前記ＮＡＰＴＲリソースレコードを返送するＥＮＵＭサーバと、を具備するＩＰ電話システムであって、前記ＩＰ電話装置は、着信側のＩＰ電話装置のＩＰ電話番号を設定した問い合わせを前記ＥＮＵＭサーバに送信する送信手段と、前記問い合わせに応じて前記ＥＮＵＭサーバから返送される前記ＮＡＰＴＲリソースレコードを受信する受信手段と、前記受信手段により受信された前記ＥＮＵＭリソースレコードからＰＳＴＮ電話番号情報を取り出して前記送信手段により前記公衆回線網を介して前記着信側のＩＰ電話装置に発呼させる制御手段と、を具備する構成を採る。
【手続補正６】
【補正対象書類名】明細書
【補正対象項目名】００２２
【補正方法】変更
【補正の内容】
【００２２】
この構成によれば、着信側のＩＰ電話装置のＰＳＴＮ電話番号を取得して公衆回線網を介した発呼に自動的に切り替えることができ、ＩＰ電話装置のユーザは、発呼操作を繰り返す手間を軽減することができる。
【手続補正７】
【補正対象書類名】明細書
【補正対象項目名】００５１
【補正方法】変更
【補正の内容】
【００５１】
ＰＳＴＮ電話番号を受け付けた後、ＥＮＵＭクエリーの送出指示を受け付けると、ＩＰ電話１０１のＣＰＵ２０１は、このＰＳＴＮ電話番号に対応するＮＡＰＴＲレコードを問い合わせるＥＮＵＭクエリーをネットワークＩ／Ｆ２０５からＥＮＵＭサーバ１０３に対して送出する（ステップＳ６０１）。この場合、ＩＰ電話１０１は、まず、オペレータが入力したＰＳＴＮ電話番号「０３１００００００１」を国番号付きのＥ．１６４番号である「＋８１−３−１００００００１」に変換し、先頭の＋と数字を残して「＋８１３１００００００１」とする。そして、数字以外の文字を抹消して数字間にドットを挿入して「８．１．３．１．０．０．０．０．０．０．１」とする。次に、数字を逆順にして最後に文字列「．ｅ１６４．ａｒｐａ」を追加する。以上の処理により、ドメイン名である「１．０．０．０．０．０．０．１．３．１．８．ｅ１６４．ａｒｐａ」を得て、この文字列に対応するＮＡＰＴＲレコードを問い合わせるＥＮＵＭクエリーをＥＮＵＭサーバ１０３に送出する。
【手続補正８】
【補正対象書類名】明細書
【補正対象項目名】００５２
【補正方法】変更
【補正の内容】
【００５２】
ＥＮＵＭサーバ１０３は、ＩＰ電話１０１からＥＮＵＭクエリーを受け付けると、ドメイン名「１．０．０．０．０．０．０．１．３．１．８．ｅ１６４．ａｒｐａ」に対応するＮＡＰＴＲレコードをＤＢ３０３から検索し、検索したＮＡＰＴＲレコードを含むＥＮＵＭ応答をＩＰ電話１０１に返送する（ステップＳ６０２）。この場合、ＥＮＵＭサーバ１０３は、図４に示すＮＡＰＴＲレコードのうち、下側のドメイン名に属するＮＡＰＴＲレコードを検索し、このＮＡＰＴＲレコードを含むＥＮＵＭ応答をＩＰ電話１０１に返送する。このＥＮＵＭ応答がＩＰ電話１０１に返送されることで、ＩＰ電話１０２のＩＰ電話番号が「０５０３３３３４４４４」であること、ＳＩＰプロトコルに対応可能であること、ｈｔｔｐｓプロトコルに対応可能であることがＩＰ電話１０１に通知されることになる。
【手続補正９】
【補正対象書類名】明細書
【補正対象項目名】０１２３
【補正方法】変更
【補正の内容】
【０１２３】
ＥＮＵＭサーバ９０３は、ＩＰ電話９０２からＥＮＵＭクエリーを受け付けると、ドメイン名「２．２．２．２．１．１．１．１．０．５．０．ｅ１６４．ａｒｐａ」に対応するＮＡＰＴＲレコードをＤＢ３０３から検索し、検索したＮＡＰＴＲレコードを含むＥＮＵＭ応答をＩＰ電話９０２に返送する（ステップＳ１４０８）。この場合、ＥＮＵＭサーバ９０３は、図１２に示すＮＡＰＴＲレコードのうち、上側のドメイン名に属するＮＡＰＴＲレコードを検索し、このＮＡＰＴＲレコードを含むＥＮＵＭ応答をＩＰ電話９０２に返送する。このＥＮＵＭ応答がＩＰ電話９０２に返送されることで、ＩＰ電話９０１のＰＳＴＮ電話番号が「０３１０００００００」であることがＩＰ電話９０２に通知されることになる。